(57)【要約】【課題】シートバックフレームにヘッドレストステーを支える支持具を簡便かつ強固に一体的に結合できるようにする。【解決手段】シート幅方向に延びるアッパフレーム１２と、アッパフレーム１２に結合されてヘッドレストステー４Ａを支えるサポート部材１３（支持具）と、を一体的に有するシートバックフレーム１０である。アッパフレーム１２は、互いにシート前後方向に向かい合うように面を向けた第１及び第２の横断面部１０Ａ，１０Ｂと、これら横断面部１０Ａ，１０Ｂ間に張り出す繋ぎ面部１０Ｃと、を有する断面形状とされている。サポート部材１３は、繋ぎ面部１０Ｃに高さ方向に貫通して空けられた差込孔１２Ａ内に高さ方向に差し込まれて、第１の横断面部１０Ａと第２の横断面部１０Ｂとにそれぞれシート前後方向に当接した状態としてアッパフレーム１２に一体的に結合されている。【選択図】図１０
2014024386.tif 000002
【特許請求の範囲】
【請求項１】
シートバックの骨格を成すシート幅方向に延びる構成フレームと、該構成フレームに結合されてヘッドレストステーを支える支持具と、を一体的に有するシートバックフレームであって、
前記構成フレームは、
互いにシート前後方向に向かい合うように面を向けた第１及び第２の横断面部と、
前記第１の横断面部と前記第２の横断面部との間に張り出す第３の横断面部と、を有する断面形状とされており、
前記支持具は、前記第３の横断面部に高さ方向に貫通して空けられた差込孔内に高さ方向に差し込まれて、前記第１の横断面部と前記第２の横断面部とにそれぞれシート前後方向に当接した状態として前記構成フレームに一体的に結合されていることを特徴とするシートバックフレーム。
【請求項２】
請求項１に記載のシートバックフレームであって、
前記支持具の前記構成フレームへの結合が、前記第１の横断面部と前記第２の横断面部とを前記支持具に押し挟むように圧着させることによって行われていることを特徴とするシートバックフレーム。
【請求項３】
請求項１又は請求項２に記載のシートバックフレームであって、
前記第１の横断面部と前記第２の横断面部との間の隙間寸法が、前記支持具の前後幅よりも狭くなっており、前記差込孔は、前記第３の横断面部に前記構成フレームの延びるシート幅方向に切り込まれるスリットが形成されて該スリットを前記第１の横断面部と前記第２の横断面部と共に前記支持具を差し込める形に開け広げることにより形成されていることを特徴とするシートバックフレーム。
【発明の詳細な説明】
【技術分野】
【０００１】
本発明は、シートバックフレームに関する。詳しくは、シートバックの骨格を成すシート幅方向に延びる構成フレームと、構成フレームに結合されてヘッドレストステーを支える支持具と、を一体的に有するシートバックフレームに関する。
【背景技術】
【０００２】
従来、車両用シートにおいて、ヘッドレストのステーが、シートバックの上部骨格に固定された筒状のサポート部材内に差し込まれて固定された構成が知られている（特許文献１）。上記サポート部材は、詳しくは、シートバックの上部骨格に溶着された角筒状のホルダー内に差し込まれて装着されている。
【先行技術文献】
【特許文献】
【０００３】
【特許文献１】特開２００５−６６１２０号公報
【発明の概要】
【発明が解決しようとする課題】
【０００４】
しかし、上記特許文献１に記載の従来技術では、角筒状のホルダーがシートバックのアッパフレームに対して後側の側面のみがあてがえられて溶着された構成となっており、十分な結合強度が得られない場合がある。本発明は、上記問題を解決するものとして創案されたものであって、本発明が解決しようとする課題は、シートバックフレームにヘッドレストステーを支える支持具を簡便かつ強固に一体的に結合できるようにすることにある。
【課題を解決するための手段】
【０００５】
上記課題を解決するために、本発明のシートバックフレームは次の手段をとる。
第１の発明は、シートバックの骨格を成すシート幅方向に延びる構成フレームと、構成フレームに結合されてヘッドレストステーを支える支持具と、を一体的に有するシートバックフレームである。構成フレームは、互いにシート前後方向に向かい合うように面を向けた第１及び第２の横断面部と、これらの横断面部間に張り出す第３の横断面部と、を有する断面形状とされている。支持具は、第３の横断面部に高さ方向に貫通して空けられた差込孔内に高さ方向に差し込まれて、第１の横断面部と第２の横断面部とにそれぞれシート前後方向に当接した状態として構成フレームに一体的に結合されている。
【０００６】
この第１の発明によれば、支持具を構成フレームに空けた差込孔内に差し込んで、第１の横断面部と第２の横断面部とに当接させた状態にして構成フレームに結合することで、支持具を構成フレームに対してシート前後方向に強く支持させた状態に組み付けることができる。このように、上記断面形状を備える構成フレームに差込孔を空けて支持具を差し込む簡単な構成により、構成フレームに支持具を簡便かつ強固に一体的に結合することができる。
【０００７】
第２の発明は、上述した第１の発明において、支持具の構成フレームへの結合が、第１の横断面部と第２の横断面部とを支持具に押し挟むように圧着させることによって行われているものである。
【０００８】
この第２の発明によれば、構成フレームの第１の横断面部と第２の横断面部とを支持具に押し挟むように圧着させることにより、支持具を構成フレームに溶接や締結を用いることなく簡便に一体的に結合させることができる。
【０００９】
第３の発明は、上述した第１又は第２の発明において、次の構成となっているものである。第１の横断面部と第２の横断面部との間の隙間寸法が、支持具の前後幅よりも狭くなっている。差込孔は、第３の横断面部に構成フレームの延びるシート幅方向に切り込まれるスリットが形成されて、スリットを第１の横断面部と第２の横断面部と共に支持具を差し込める形に開け広げることにより形成されている。
【００１０】
この第３の発明によれば、第１の横断面部と第２の横断面部との間の隙間寸法が支持具の前後幅よりも狭くなっており、両横断面部の支持具が差し込まれる部分が部分的に支持具を差し込めるように前後幅が開け広げられた構成とされることにより、差し込まれた支持具を第１の横断面部と第２の横断面部とによってシート幅方向にも挟み込んで強固に支持した状態とすることができる。
【図面の簡単な説明】
【００１１】
【図１】実施例１のシートバックフレームが適用された車両用シートの外観斜視図である。
【図２】シートバックフレーム単体の斜視図である。
【図３】シートバックフレームの正面図である。
【図４】シートバックフレームの側面図である。
【図５】図３のV-V線断面図である。
【図６】図４のVI-VI線断面図である。
【図７】アッパフレームに差込孔を形成した状態を示した斜視図である。
【図８】サイドフレームを曲げ加工した状態を示した斜視図である。
【図９】サイドフレームを開け広げた状態を示した斜視図である。
【図１０】図３のX-X線断面図である。
【図１１】実施例２のシートバックフレームが適用された車両用シートの外観斜視図である。
【発明を実施するための形態】
【００１２】
以下に、本発明を実施するための形態について、図面を用いて説明する。
【実施例１】
【００１３】
始めに、実施例１のシートバックフレーム１０の構成について、図１〜図１０を用いて説明する。本実施例のシートバックフレーム１０は、図１に示すように、自動車の助手席シートとして構成された車両用シート１のシートバック２の骨組みを成すものとして構成されている。ここで、車両用シート１は、着座乗員の背凭れとなるシートバック２と、着座部となるシートクッション３と、頭の凭れ部となるヘッドレスト４と、を有して構成されている。
【００１４】
シートバック２は、その左右両サイドの下端部が、それぞれ、シートクッション３の左右両サイドの後端部に対して、回転止め可能な回転軸装置として機能する図示しない円盤状のリクライニング装置を間に介して連結された状態とされている。これにより、シートバック２は、シートクッション３に対して、背凭れ角度の調節が行えるように連結された状態とされている。シートクッション３は、車両のフロア上に、図示しない左右一対のスライド装置を間に介して設けられた状態とされている。これにより、シートクッション３は、フロアに対して、シート前後方向の位置調節が行えるように設けられた状態とされている。なお、上記図示しないリクライニング装置やスライド装置の基本構造は、特開２０１１−１１６３０３号公報や特開２０１０−２２１９３５号公報等の文献に開示されたものと同じ構成となっているため、これらについての具体的な説明は省略することとする。
【００１５】
ヘッドレスト４は、シートバック２の上部に装着されて設けられている。具体的には、ヘッドレスト４は、その下部から突き出る２本の棒状のヘッドレストステー４Ａが、それぞれ、シートバックフレーム１０のアッパフレーム１２上に固定された２本の筒状のサポート部材１３内にそれぞれ上方側から差し込まれて装着されることにより、シートバック２の上部に装着されて固定された状態とされている。なお、上記ヘッドレストステー４Ａを各サポート部材１３内に差し込んで装着する構成については、特開２００８−２３９０７５号公報等の文献に開示されたものと同じ構成となっているため、具体的な説明は省略することとする。
【００１６】
以下、図２〜図１０を参照しながら、シートバックフレーム１０の具体的な構成について詳しく説明する。図２〜図４に示すように、シートバックフレーム１０は、シートバック２の左右両側部の骨格を成す二股状に開け広げられた形の各サイドフレーム１１と、シートバック２の上側部の骨格を成すアッパフレーム１２と、アッパフレーム１２上の左右２箇所の位置に装着されて結合された２本の筒状のサポート部材１３と、各サイドフレーム１１の下端部に装着されて結合された高張力鋼板から成る各パネル部材１４と、から構成されている。ここで、アッパフレーム１２が本発明の「構成フレーム」に相当し、各サポート部材１３が本発明の「支持具」に相当する。
【００１７】
上記シートバックフレーム１０は、次のように成形されている。先ず、図７に示すように、１本のアルミニウム合金の押出し材をプレス加工により逆Ｕ字状の形に折り曲げて、上述した各サイドフレーム１１とアッパフレーム１２とをひと続きに備える形に形成する。このとき、上記の折り曲げに先立って、もしくは折り曲げの後に、各サイドフレーム１１に対して、これらを後に二股状の形に開け広げられるようにするための切込み１１Ｃを入れておく。更に、アッパフレーム１２上の上述した各サポート部材１３（図９参照）が装着される左右２箇所の位置にも、各サポート部材１３を上方側から差し込んで装着できるようにするための差込孔１２Ａを形成しておく。具体的には、各差込孔１２Ａは、アッパフレーム１２上の左右２箇所の位置に、それぞれ、シート幅方向にスリットＳを切り込み、これらスリットＳをシート前後方向に空け広げることで各サポート部材１３をシート上方側から差し込み可能な丸孔状に空け広げられた形に形成されている。この段階（シートバックフレーム１０がシート前後方向に曲げられていない平面形状の段階）で上記の切込み１１ＣやスリットＳを入れておくことにより、各切込み１１Ｃを入れる作業が真っ直ぐに入れるだけの簡単な加工で済むと共に、各スリットＳを入れる際にシートバックフレーム１０を切削加工用の治具にセットしやすくなるため、加工が容易となる。各切込み１１Ｃは、各サイドフレーム１１の上端側の近傍箇所から下端側に貫通する位置まで高さ方向に真っ直ぐに入れられている。なお、上述した各切込み１１ＣやスリットＳは、シートバックフレーム１０の後述する曲げ加工や開き加工が全て終わった後に入れるようにしても構わない。
【００１８】
次に、図８に示すように、各サイドフレーム１１の中間部を、それぞれ、プレス加工によりシート後方側に弓状に湾曲させた形に曲げ加工する。具体的には、各サイドフレーム１１の上記各切込み１１Ｃによって前後に並ぶように切り分けられた各枝フレーム１１Ａ，１１Ｂを、それぞれひとまとめに一緒にシート後方側に押し曲げるようにプレス加工する。これにより、各枝フレーム１１Ａ，１１Ｂがこれらの並び方向となるシート前後方向に同じ形となるように湾曲した形に押し曲げられて、これらの中間部に互いの曲げられた形状同士が合致する形の曲げ部１１Ａ２，１１Ｂ２が形成される。
【００１９】
次に、図９に示すように、上記折り曲げられた各サイドフレーム１１の前側の各枝フレーム１１Ｂを、後側の各枝フレーム１１Ａに対して、シート前方側に開け広げるように曲げ加工する。具体的には、前側の各枝フレーム１１Ｂを、後側の各枝フレーム１１Ａに対して、これらの枝分かれの始点となる上端を支点にシート前方側に開け広げるように曲げ加工する。これにより、各サイドフレーム１１が、シート前後方向に二股状に開け広げられた形に形成されて、それらの上端側から下端側に向かってその形状の前後幅が漸次広がっていく形に形成された状態となる。
【００２０】
次に、上記各サイドフレーム１１の開け広げられた各端部に、高張力鋼板から成る各パネル部材１４をそれぞれシート下方側から差し込んで一体的に組み付ける。更に、先程の工程でアッパフレーム１２上に形成された各差込孔１２Ａ内に各サポート部材１３をそれぞれシート上方側から差し込んで、これら差し込まれたアッパフレーム１２の各部分をシート前後側からそれぞれ押し挟むようにかしめ処理して、各部分を各サポート部材１３に一体的に圧着させて結合させた状態にする。以上の工程により、図２〜図４に示すように、シートバックフレーム１０が、両サイドフレーム１１が二股状に開け広げられて軽量化される一方で、各パネル部材１４の差し込みにより構造強度が高められた状態として形成されている。
【００２１】
続いて、上述したシートバックフレーム１０の各部の構成について、更に詳しく説明する。シートバックフレーム１０は、図５に示すように、そのアルミニウム合金の押出し成形によって形成される横断面形状が、互いにシート前後方向に並んで設けられた閉じ断面形状の第１の横断面部１０Ａ及び第２の横断面部１０Ｂと、これらを繋ぐ繋ぎ面部１０Ｃと、を有する形に形成されている。ここで、第１の横断面部１０Ａが本発明の「第１の横断面部」に相当し、第２の横断面部１０Ｂが本発明の「第２の横断面部」に相当し、繋ぎ面部１０Ｃが本発明の「第３の横断面部」に相当する。上記シートバックフレーム１０は、図７で前述したように、これが逆Ｕ字状の形に曲げられるときには、その全周において、第２の横断面部１０Ｂが前側に位置し、第１の横断面部１０Ａがその後ろ側に位置する関係が保たれるように、これらの並び方向に対して垂直な方向に曲げられて形成されている。これにより、シートバックフレーム１０が逆Ｕ字状の形に曲げられた状態において、各サイドフレーム１１の横断面形状と、アッパフレーム１２の横断面形状とが、それぞれシートバックフレーム１０の内周側から外周側に向かって同じ形で延びる形状とされている。
【００２２】
図５に示すように、上述した第１の横断面部１０Ａは、シート前方側に面を向けた前面部１０Ａ１を一辺とする矩形の閉じた断面形状の閉じ断面部１０Ａ２を有する形に形成されている。第２の横断面部１０Ｂは、シート後方側に面を向けた後面部１０Ｂ１を一辺とする矩形の閉じた断面形状の閉じ断面部１０Ｂ２を有する形に形成されている。繋ぎ面部１０Ｃは、上述した第１の横断面部１０Ａのシートバックフレーム１０の外周側（図５では上側）の縁部と、第２の横断面部１０Ｂのシートバックフレーム１０の外周側（図５では上側）の縁部と、を繋ぐ形に形成されている。上述した第１の横断面部１０Ａの前面部１０Ａ１と、第２の横断面部１０Ｂの後面部１０Ｂ１と、の間には、隙間となる開口部１０Ｄが形成されている。この開口部１０Ｄは、シートバックフレーム１０の内周側（図５では下側）に開口する形に形成されている。上記第１の横断面部１０Ａの前面部１０Ａ１と第２の横断面部１０Ｂの後面部１０Ｂ１とは、互いにシート前後方向に離間して向かい合った状態とされている。
【００２３】
また、上述した第１の横断面部１０Ａには、その前面部１０Ａ１と繋ぎ面部１０Ｃとの繋ぎ部分をシート後方側に凹ませる形でポケット状に空間が空けられたレール溝１０Ａ３が形成されている。このレール溝１０Ａ３は、前方側に開口を持つ矩形の囲い状の開断面形状に形成されている。また、第２の横断面部１０Ｂにも、その後面部１０Ｂ１と繋ぎ面部１０Ｃとの繋ぎ部分をシート前方側に凹ませる形でポケット状に空間が空けられたレール溝１０Ｂ３が形成されている。このレール溝１０Ｂ３は、上記のレール溝１０Ａ３とは前後対称にシート後方側に開口を持つ矩形の囲い状の開断面形状に形成されている。これらレール溝１０Ａ３，１０Ｂ３は、上述した開口部１０Ｄを通じて互いに前後に連通した形状となっており、すなわち、開口部１０Ｄを通じてシートバックフレーム１０の内周側（図５では下側）に開口した形状となっており、繋ぎ面部１０Ｃによってシートバックフレーム１０の外周側（図５では上側）から覆われた構成となっている。
【００２４】
上述した横断面形状をもつシートバックフレーム１０に対し、図７で前述した各サイドフレーム１１に入れられる切込み１１Ｃは、上述した第１の横断面部１０Ａと第２の横断面部１０Ｂとの間の繋ぎ面部１０Ｃ（図５参照）に沿って入れられている（図６参照）。したがって、図６及び図９に示されるように、各サイドフレーム１１を上記の各切込み１１Ｃから二股状に開け広げることで、第１の横断面部１０Ａと第２の横断面部１０Ｂとの間の開口部１０Ｄを広げる形で、これらを互いに前後に離間させた形に開け広げることができる。これにより、開け広げられた各枝フレーム１１Ａ，１１Ｂが、それぞれに閉じ断面形状を持つ高い構造強度を備えた状態として形成されている。
【００２５】
そして、図９に示すように、上記二股状に開け広げられた各サイドフレーム１１の下端側の開口端部には、それぞれ、高張力鋼板から成るパネル部材１４が下方側から差し込まれて取り付けられる。ここで、上述した高張力鋼板から成る各パネル部材１４は、上述したアルミニウム合金の押出し材より成る各サイドフレーム１１よりも比強度が高い構成となっている。これらパネル部材１４は、上述した二股状に開け広げられた各サイドフレーム１１の下端側の開口端部に差し込まれることにより、各枝フレーム１１Ａ，１１Ｂの端部間に楔状に嵌め込まれて、これらの間を繋ぐ橋渡し材となって各サイドフレーム１１の開口端部の構造強度を高める補強板として機能するものとなっている。
【００２６】
また、上記各サイドフレーム１１に取り付けられた各パネル部材１４は、図１に示すように、前述したシートバックフレーム１０の左右両サイドの下端部を図示しないリクライニング装置を介してシートクッション３の左右両サイドの後端部に連結する際の、リクライニング装置との結合部として設定されている。具体的には、各パネル部材１４は、図２に示すように、各サイドフレーム１１の下端部に取り付けられた状態では、シート幅方向に面を向けた状態とされており、その板面上には、上記図示しないリクライニング装置との結合用の複数の嵌合孔１４Ａ１と、リクライニング装置のロック解除操作を行うための操作軸（図示省略）を通すための軸孔１４Ａ２とが、それぞれ軸方向に貫通して空けられている。
【００２７】
図９に示すように、上記各パネル部材１４の前後側の各縁部には、形状をシートバックフレーム１０の内周側に向かって内向きに筒状にロールさせた筒状突起１４Ｂ１，１４Ｂ２が形成されている。これら筒状突起１４Ｂ１，１４Ｂ２は、各パネル部材１４を各サイドフレーム１１の各枝フレーム１１Ａ，１１Ｂの間に差し込む際に、各枝フレーム１１Ａ，１１Ｂに形成された前述したレール溝１１Ａ１，１１Ｂ１（１０Ａ３，１０Ｂ３）内にそれぞれ押し込まれて挿通されるようになっている。具体的には、各筒状突起１４Ｂ１，１４Ｂ２は、それらのロールされた筒形状が、これらの差し込まれる各レール溝１１Ａ１，１１Ｂ１（１０Ａ３，１０Ｂ３）の内径よりもひとまわり大きな外径となる筒形状に形成されており、各レール溝１１Ａ１，１１Ｂ１（１０Ａ３，１０Ｂ３）内に圧入されることで、これらに対して強嵌合されて、差し込み方向に対して垂直な方向へは抜け外れないように強固に係合されるようになっている（図６参照）。
【００２８】
ここで、図９に示すように、上述した各サイドフレーム１１の各枝フレーム１１Ａ，１１Ｂは、各パネル部材１４の前後幅よりも広くなるように二股状に開け広げられた状態に形成されている。これにより、各パネル部材１４の差し込み時に、各パネル部材１４の各筒状突起１４Ｂ１，１４Ｂ２を各枝フレーム１１Ａ，１１Ｂのレール溝１１Ａ１，１１Ｂ１内にそれぞれ入れ込んで係合させた状態にして差し込むことで、これらの係合構造と各パネル部材１４の比強度の高い剛性とによって、各枝フレーム１１Ａ，１１Ｂが、各パネル部材１４の差し込みの進行に伴って、これらの前後幅に合わせた形に弾性的に押し窄められるようにそれらの開き幅が変えられるようになっている。したがって、上記各枝フレーム１１Ａ，１１Ｂの弾性変形により、各サイドフレーム１１に各パネル部材１４が差し込まれて装着された状態では、各枝フレーム１１Ａ，１１Ｂがそれぞれ復元方向に戻ろうとする開き方向の弾発力が各パネル部材１４に掛けられるため、これらの弾発力が各パネル部材１４と各サイドフレーム１１との結合力を更に高めるように作用して、両者がより強固に一体的に結合された状態として保持されるようになっている。
【００２９】
ここで、上述した各サイドフレーム１１の各枝フレーム１１Ａ，１１Ｂは、上述したようにそれらの中間部がそれぞれ曲げ部１１Ａ２，１１Ｂ２としてシート後方側に弓状に曲げられた形に形成されているが、各パネル部材１４が差し込まれる各曲げ部１１Ａ２，１１Ｂ２よりも下方側の領域部は、下方側に向かって真っ直ぐストレートに延びる形状に形成されている。これにより、各枝フレーム１１Ａ，１１Ｂに形成された各レール溝１１Ａ１，１１Ｂ１も同様に、各曲げ部１１Ａ２，１１Ｂ２よりも下方側の領域部は、それぞれ下方側に向かって真っ直ぐストレートに延びる形状に形成されている。一方、各パネル部材１４の両側部に形成された各筒状突起１４Ｂ１，１４Ｂ２も、互いにほぼ平行な状態に高さ方向に真っ直ぐに延びるストレートな筒型形状に形成されている。これにより、各パネル部材１４の各サイドフレーム１１への差し込みがつっかえることなくスムーズに行えるようになっている。
【００３０】
また、図６に良く示されるように、上記各パネル部材１４の各筒状突起１４Ｂ１，１４Ｂ２が形成された各縁部の脇には、各パネル部材１４の中央部を両縁部よりも外側（シートバックフレーム１０の外周側：図６における下側）に張り出させる形の段差部１４Ｃ１，１４Ｃ２が形成されている。これら段差部１４Ｃ１，１４Ｃ２の構成により、各パネル部材１４は、それらの両縁側の各筒状突起１４Ｂ１，１４Ｂ２が各レール溝１１Ａ１，１１Ｂ１内に挿通されて各サイドフレーム１１に取り付けられた状態では、それらの中央の板部が、各サイドフレーム１１の各枝フレーム１１Ａ，１１Ｂの外側面と面一状の状態を成す段差の少ない形に組み付けられるようになっている。また、図９に示すように、上記各パネル部材１４の上縁部には、シートバックフレーム１０の内周側に向かって屈曲するフランジ１４Ｄが、プレス加工により折り曲げられて形成されている。これらフランジ１４Ｄにより、各パネル部材１４の曲げや捩りに対する構造強度が高められていると共に、各パネル部材１４の上縁部が内側に丸められた形となって、外部に角張った形状が露呈しない形状とされている。
【００３１】
ここで、上記各パネル部材１４のフランジ１４Ｄが形成された各上縁部は、それぞれ、前斜め上がり方向に真っ直ぐに傾斜した形状に形成されている。これにより、各パネル部材１４の装着によって高められる各サイドフレーム１１の高さ方向の構造強度（断面係数）の変化の割合が、上記領域において緩やかとなるように調節されている。詳しくは、各パネル部材１４の上縁部の傾斜形状は、前上がり形状となっているため、シートバックフレーム１０に前方側からかけられる荷重が、各パネル部材１４によってより高い位置で受け止められるようになっており、反対側に傾斜した形状（後ろ上がり形状）となっているものと比べて、シートバックフレーム１０にかけられる前方側からの荷重をより強く受け止められるようになっている。
【００３２】
したがって、車両の後部衝突が発生するなどして、シートバックフレーム１０に、着座乗員の背部が強く圧し掛かる大荷重がかけられた際には、上記前側に高い位置まで張り出す形の各パネル部材１４によって上記の大荷重を強く受け止められると共に、各パネル部材１４の上縁部の形状が傾斜状となっていることで、シートバックフレーム１０の構造強度が急激的に変化することがないように調節されており、シートバックフレーム１０に局所的な応力集中が発生することなく、シートバックフレーム１０全体で上記の大荷重を高さ方向に広く分散させて受け止められるようになっている。
【００３３】
続いて、図９〜図１０を用いて、前述した各サポート部材１３をアッパフレーム１２に形成された各差込孔１２Ａ内に差し込んで装着する構造について説明する。各サポート部材１３は、上述したヘッドレストステー４Ａ（図２参照）を上方側から差し込み可能な円筒形状に形成されており、それらの上端部には、台座状に張り出す形の頭部が形成された構成となっている。また、各サポート部材１３の外周部には、全周に亘って環状に凹んだ形の窪み１３Ａが形成されている。
【００３４】
一方、アッパフレーム１２に形成された各差込孔１２Ａは、図７で前述したように、アッパフレーム１２の左右２箇所にシート幅方向にスリットＳが入れられて、これらスリットＳを上記各サポート部材１３を上方側から差し込み可能な丸孔状の形に開け広げることにより形成されている。詳しくは、上記各スリットＳは、図１０に示すように、上述した第１の横断面部１０Ａと第２の横断面部１０Ｂとを繋ぐ繋ぎ面部１０Ｃの中央部に入れられており、第１の横断面部１０Ａと第２の横断面部１０Ｂとの間の開口部１０Ｄの前後幅よりも狭い前後幅で切り込まれて形成されている。そして、上記切り込まれた各スリットＳを、第１の横断面部１０Ａと第２の横断面部１０Ｂと共に各サポート部材１３を差込可能な丸孔状の形に開け広げることにより、各差込孔１２Ａが形成されている。
【００３５】
ここで、上記各差込孔１２Ａは、上述したように、先に入れられる各スリットＳが、開口部１０Ｄの前後幅よりも狭い前後幅で切り込まれているために、その丸孔状の形に開け広げられた状態における前後幅が、第１の横断面部１０Ａと第２の横断面部１０Ｂとの間の開口部１０Ｄの前後幅よりも狭く形成されるようになっている。これにより、各差込孔１２Ａの周面部には、上記第１の横断面部１０Ａ（の前面部１０Ａ１）よりも前方側に張り出す張出片１２Ｂと、第２の横断面部１０Ｂ（の後面部１０Ｂ１）よりも後方側に張り出す張出片１２Ｂと、がそれぞれ形成された構成となっている。
【００３６】
上記各差込孔１２Ａは、上述したように丸孔状の形に開け広げられた状態では、各サポート部材１３を上方側から差し込むことのできる大きさに形成されている。次に、上記各サポート部材１３を各差込孔１２Ａ内に差し込んで装着する手順について説明する。先ず、各サポート部材１３を上述した各差込孔１２Ａ内にシート上方側から差し込んで、各サポート部材１３の外周部に形成された各窪み１３Ａを、各差込孔１２Ａの張出片１２Ｂとシート高さ方向に位置合わせした状態にする。次に、各差込孔１２Ａの形状をシート前後方向に押し狭めるように第１の横断面部１０Ａと第２の横断面部１０Ｂとを互いに接近させる方向に押し曲げるように加工する。これにより、各張出片１２Ｂが、各サポート部材１３の窪み１３Ａ内に押し込まれて圧着されると共に、第１の横断面部１０Ａの前面部１０Ａ１と第２の横断面部１０Ｂの後面部１０Ｂ１とが、それぞれ、各サポート部材１３の前後側の各外周面に面当接するように押し当てられて圧着された状態となる。これにより、各サポート部材１３が、アッパフレーム１２の第１の横断面部１０Ａと第２の横断面部１０Ｂとにそれぞれシート前後方向に当接した状態として、アッパフレーム１２に一体的に結合された状態となる。
【００３７】
また、上記第１の横断面部１０Ａと第２の横断面部１０Ｂとを各サポート部材１３の外周面に押し付ける加工の際に、これらを各サポート部材１３の外周面の形に沿うように湾曲させた形に押し曲げたり、或いはシート幅方向の斜めの角度から押し付け力をかけたりすることにより、第１の横断面部１０Ａと第２の横断面部１０Ｂとを各サポート部材１３の外周面にシート幅方向にも押し当てた状態とすることができ、各サポート部材１３をアッパフレーム１２に対してシート幅方向にも強く圧着させて一体的に結合させた状態とすることができる。
【００３８】
なお、上記の結合構造に代えて、次のような結合構造を採用してもよい。すなわち、各差込孔１２Ａを、それらの内周面の前後幅が、第１の横断面部１０Ａと第２の横断面部１０Ｂとの間の開口部１０Ｄの前後幅と同じとなるように形成し、かつ、これらの前後幅が各サポート部材１３の外周面の前後幅と同じとなるように形成する。これにより、各サポート部材１３を各差込孔１２Ａ内に差し込むのみで、各サポート部材１３を第１の横断面部１０Ａの前面部１０Ａ１と第２の横断面部１０Ｂの後面部１０Ｂ１とにそれぞれ前後側の各外周面を面当接させた状態に組み付けることができる。そして、この組み付けの後、各サポート部材１３とアッパフレーム１２との当接部を溶接することにより、各サポート部材１３をアッパフレーム１２に対して強固に一体的に結合することができる。
【００３９】
詳しくは、上記各差込孔１２Ａを形成する時には、アッパフレーム１２上の２箇所の位置に、上述した第１の横断面部１０Ａと第２の横断面部１０Ｂとの間の開口部１０Ｄの前後幅と同じ前後幅をもつスリットＳを入れて、これらスリットＳを第１の横断面部１０Ａや第２の横断面部１０Ｂと共に各サポート部材１３を差し込める丸孔状の形（各サポート部材１３の外周面と前後幅が同じとなる形）に開け広げるようにする。これにより、第１の横断面部１０Ａや第２の横断面部１０Ｂが、各サポート部材１３が差し込まれる部分において部分的に前後幅が開け広げられた形となり、差し込まれた各サポート部材１３を、第１の横断面部１０Ａと第２の横断面部１０Ｂとによってシート幅方向にも挟み込んで強固に支持した状態とすることができる。
【００４０】
また、この場合において、各サポート部材１３とアッパフレーム１２との結合を、次のように行うようにしてもよい。すなわち、各サポート部材１３の外周部に半径方向に弾性的に収縮変形可能な爪（図示省略）を形成し、各サポート部材１３を各差込孔１２Ａ内に差し込むことにより、各爪が各差込孔１２Ａの内周面との干渉により弾性的に押し窄められた後、アッパフレーム１２の第１の横断面部１０Ａと第２の横断面部１０Ｂとの間を下方側へ抜けることで復元変形して第１の横断面部１０Ａと第２の横断面部１０Ｂとの各底部に掛着して、アッパフレーム１２に対して上下方向に抜けないように保持されて一体的に装着されるようにしてもよい。なお、この場合の各サポート部材１３の差込方向の移動規制は、各サポート部材１３の頭部の形状によって行うようにしてもよいし、別途、外周部に突起を形成して行うようにしてもよい。
【００４１】
このように、本実施例のシートバックフレーム１０の構成によれば、アッパフレーム１２は、互いにシート前後方向に向かい合うように面を向けた第１の横断面部１０Ａと第２の横断面部１０Ｂと、これらを繋ぐ繋ぎ面部１０Ｃと、を有する断面形状とされている。各サポート部材１３は、繋ぎ面部１０Ｃに高さ方向に貫通して空けられた各差込孔１２Ａ内に高さ方向に差し込まれて、第１の横断面部１０Ａと第２の横断面部１０Ｂとにそれぞれシート前後方向に当接した状態としてアッパフレーム１２に一体的に結合されている。このように、各サポート部材１３をアッパフレーム１２に空けた各差込孔１２Ａ内に差し込んで、第１の横断面部１０Ａと第２の横断面部１０Ｂとに当接させた状態にしてアッパフレーム１２に結合することにより、各サポート部材１３をアッパフレーム１２に対してシート前後方向に強く支持させた状態に組み付けることができる。
【００４２】
また、各サポート部材１３のアッパフレーム１２への結合が、第１の横断面部１０Ａと第２の横断面部１０Ｂとを各サポート部材１３に押し挟むように圧着させることによって行われている。このように、アッパフレーム１２の第１の横断面部１０Ａと第２の横断面部１０Ｂとを各サポート部材１３に押し挟んで圧着させる構成を採ることにより、各サポート部材１３をアッパフレーム１２に溶接や締結を用いることなくに簡便に一体的に結合させることができる。
【実施例２】
【００４３】
続いて、実施例２のシートバックフレーム１０の構成について、図１１を用いて説明する。なお、本実施例では、実施例１で説明したシートバックフレーム１０と実質的な構成及び作用が同じとなる箇所については同一の符号を付して説明を省略し、構成の異なる箇所について詳しく説明することとする。本実施例では、シートバックフレーム１０の各サイドフレーム１１が、左右一対の縦長板状の鋼板材により形成されており、これらサイドフレーム１１の上端部間に実施例１で示したアッパフレーム１２と同じ構成のアッパフレーム１２が架け渡されて結合された構成となっている。ここで、アッパフレーム１２が本発明の「構成フレーム」に相当する。
【００４４】
上述した各サイドフレーム１１は、それぞれ、プレス加工により、一枚の鋼板材を縦長状の形にカットした後、その前側と後側の各縁部をそれぞれシート内側にフランジ状に折り曲げることにより形成されている。これにより、各サイドフレーム１１は、それらのプレス曲げされた各縁部の構成により、それ自体の曲げや捩りに対する構造強度が高められていると共に、外部（前後側やシート外側）に対して角張らない形に形成された状態とされている。これらサイドフレーム１１は、シートバック２の左右両サイド部の骨格を成すものとして、シートバック２の各サイド位置に、互いの板面がシート幅方向に対向するように配置された状態とされている。
【００４５】
アッパフレーム１２は、プレス加工により、一本のストレートな角鋼管材を所定の長さにカットした後、これを逆Ｕ字状の形に折り曲げることにより形成されている。上記アッパフレーム１２は、その逆Ｕ字形状に折り曲げられた各脚部が、上述した各サイドフレーム１１の上端部にそれぞれあてがわれて溶接されることにより、これらサイドフレーム１１の上端部に強固に一体的に結合された状態とされている。ここで、各サイドフレーム１１の上端部は、上記アッパフレーム１２の各脚部の外周面と形状が合致するように横断面「コ」字状に折り曲げられた形に形成されている。そして、アッパフレーム１２の各脚部が、上記各サイドフレーム１１の「コ」字状に折り曲げられた各上端部に対して、広く面当接した状態にあてがわれて、広い範囲に亘って溶接されて強固に一体的に結合された状態とされている。
【００４６】
以上、本発明の実施形態を２つの実施例を用いて説明したが、本発明は上記実施例のほか各種の形態で実施することができるものである。例えば、上記各実施例では、本発明の「ヘッドレストステーを支える支持具が結合される構成フレーム」として、シートバック２の上側部の骨格を成すアッパフレーム１２を例示したが、この「構成フレーム」は、シートバックのアッパフレームよりも下方側に配されるフレームであってもよい。また、上記「構成フレーム」として、アルミニウム合金の押出し材より成るものを例示したが、「構成フレーム」は、鋼材等の他の金属材料によって形成されたものであってもよい。
【００４７】
また、上記各実施例では、本発明の「支持具」に相当するものとして、円筒形状のサポート部材１３を例示したが、「支持具」は、角筒形状に形成されたものであってもよい。また、上記各実施例では、本発明の「支持具」に相当するものとして、「ヘッドレストステー」を差し込みにより装着することのできる構成を備えたサポート部材１３を例示したが、「サポート部材」を差し込んで装着できるようにする構成を備えた「ホルダー」を本発明の「支持具」としてもよい。すなわち、上記「ホルダー」を「構成フレーム」に装着して固定し、この固定した「ホルダー」に対して「サポート部材」を差し込んで装着する構成となっていてもよい。
【００４８】
また、本発明の「第１の横断面部」や「第２の横断面部」は、それぞれ、開断面形状となっているものであってもよい。また、中実断面形状となっているものであってもよい。また、「第３の横断面部」は、上記「第１の横断面部」や「第２の横断面部」を繋げる面部となっていなくてもよく、単に「第１の横断面部」と「第２の横断面部」との間に張り出す面部として構成されたものもその対象に含まれる。また、「支持具」の「差込孔」に対する高さ方向の差込位置を規制する構造として、「支持具」の外周面の一部に突起を設けて、「構成フレーム」への高さ方向の差込位置を規制する構成を設けてもよい。
【符号の説明】
【００４９】
１      車両用シート
２      シートバック
３      シートクッション
４      ヘッドレスト
４Ａ    ヘッドレストステー
１０    シートバックフレーム
１０Ａ  第１の横断面部（第１の横断面部）
１０Ａ１  前面部
１０Ａ２  閉じ断面部
１０Ａ３  レール溝
１０Ｂ  第２の横断面部（第２の横断面部）
１０Ｂ１  後面部
１０Ｂ２  閉じ断面部
１０Ｂ３  レール溝
１０Ｃ  繋ぎ面部（第３の横断面部）
１０Ｄ  開口部
１１    サイドフレーム
１１Ａ  枝フレーム
１１Ａ１  レール溝
１１Ａ２  曲げ部
１１Ｂ  枝フレーム
１１Ｂ１  レール溝
１１Ｂ２  曲げ部
１１Ｃ  切込み
１２    アッパフレーム（構成フレーム）
１２Ａ  差込孔
１２Ｂ  張出片
１３    サポート部材（支持具）
１３Ａ  窪み
１４    パネル部材
１４Ａ１  嵌合孔
１４Ａ２  軸孔
１４Ｂ１  筒状突起
１４Ｂ２  筒状突起
１４Ｃ１  段差部
１４Ｃ２  段差部
１４Ｄ    フランジ
Ｓ        スリット
【図１】
2014024386.tif 000003
【図２】
2014024386.tif 000004
【図３】
2014024386.tif 000005
【図４】
2014024386.tif 000006
【図５】
2014024386.tif 000007
【図６】
2014024386.tif 000008
【図７】
2014024386.tif 000009
【図８】
2014024386.tif 000010
【図９】
2014024386.tif 000011
【図１０】
2014024386.tif 000012
【図１１】
2014024386.tif 000013